(57)【特許請求の範囲】
【請求項１】
所定幅の長尺になる布地からエプロンと後身ごろとを一連的に一体に備えさせて前記エプロンと後身ごろの境の肩部部分からエプロンの側へ首通しを穿ち、前記後身ごろの肩部位置の内側に前身ごろの上端を縫着して前記エプロンの裏側に互いに自由状態で重なるように設け、該前身ごろは前記エプロンの首通しと重合貫通する首通しを穿ち、前記エプロンの下縁にひも通しを設けて該ひも通しに首掛けひもを遊挿設置し、前身ごろと後身ごろとは両脇を止着自在にするベルベットファスナーを設けてなることを特徴とする乳幼児の育児用湯上がり着。
【発明の詳細な説明】
【０００１】
【発明の属する技術分野】
本発明は、乳幼児の入浴時、特に生まれて間もない期間、例えば乳児専用のベビ−バスによる入浴期間を過ぎて、一般の浴槽で母親と一緒に入浴する時期に、湯上がり時の乳幼児の世話をする際に母親が着衣する乳幼児の育児用湯上がり着に関するものである。
【０００２】
【従来技術】
一般に、ベビ−バス等の乳児専用の浴槽での入浴期間を過ぎて、一般の浴槽で母親と一緒に入浴する時期になると、湯上がり時に、夫である父親或は祖母等の他の者が、タオルを広げて赤ちゃんを受け取って、しかるべき部屋へ運び、父親或は祖母が赤ちゃんの濡れた体を拭いたり着物を着せたりしている。その間に、母親は母親自身の濡れた体を拭いたり衣服を纏ったりすることができる。
【０００３】
しかしながら、赤ちゃんの入浴は毎日の作業であり、現在の核家族では祖母或は夫以外の他の者の手助けを常時期待できないのが普通であり、また、夫も勤務先の都合などで赤ちゃんの入浴時間に何時も在宅するとは限らない。このような状況でも、赤ちゃんの入浴は一日も欠かすことはできないために、母親は一人でも赤ちゃんを入浴させなければならない。このような母親が一人で赤ちゃんを入浴させた際に、母親は赤ちゃんの世話を素早くしなければならないので、湯上がり時の母親は自分の体を拭いたり衣服を纏ったりする余裕もなく、母親も赤ちゃんも共々に濡れた儘で、赤ちゃんを抱いてしかるべき部屋に運ぶことになり、赤ちゃんを運んだ部屋の畳や絨毯をびしょびしょに濡らしてしまったりする。また、赤ちゃんの世話をしている間、母親が濡れた裸の儘でいると湯冷めして風邪を引いたりして健康に悪いばかりでなく、母親が裸の儘では身だしなみも良くない等の課題があった。
【０００４】
本発明は、上記の課題に鑑みてなされたものであって、その目的とするところは、誰の手助けもなく母親一人で赤ちゃんを入浴させた場合に、湯上がり後に、母親が容易に着用できると同時に、赤ちゃんをタオルに包み、しかも、母親の両手が自由状態で安全にしかるべき部屋へ赤ちゃんを運ぶことができるようにした乳幼児の育児用湯上がり着を提供するものである。
【０００５】
【課題を解決するための手段】
上記目的を達成するために、本発明に係る乳幼児の育児用湯上がり着は、所定幅の長尺になる布地からエプロンと後身ごろとを一連的に一体に備えさせて前記エプロンと後身ごろの境の肩部部分からエプロンの側へ首通しを穿ち、前記後身ごろの肩部位置の内側に前身ごろの上端を縫着して前記エプロンの裏側に互いに自由状態で重なるように設け、該前身ごろは前記エプロンの首通しと重合貫通する首通しを穿ち、前記エプロンの下縁にひも通しを設けて該ひも通しに首掛けひもを遊挿設置し、前身ごろと後身ごろとは両脇を止着自在にするベルベットファスナーを設けてなる。
【０００６】
前記エプロンと後身ごろ及び前身ごろの生地はタオル地が好ましい。
【０００７】
前記首かけひもは、無端状のひも輪が好ましい。また、この首かけひもがエプロンの下方へ垂れ下がるのを防止するために、エプロンと前身ごろの間にベルベットファスナ−のような簡易止着具を設けて、前記首掛けひもをエプロンと前身ごろの間に保持自在にするのが好ましい。
【０００８】
前記エプロンと後身ごろとは一枚の布地により一連一体に裁断形成するのが好ましい。また、前記エプロンは、赤ちゃんを包んで首掛けひもを母親の首に吊した状態で、赤ちゃんが母親の腹部から胸部のあたりで抱えられる程度の裾長さにするのが好ましく、前記前身ごろと後身ごろの裾長さは、両者がほぼ同じ長さで且つ少なくとも臀部が隠れる程度が好ましい。
【０００９】
【発明の実施の態様】
本発明の実施の態様を図面に基づいて説明すると、図１は湯上がり着の斜視図、図２は後身ごろとエプロンを一体に備える生地の平面図、図３は前身ごろの平面図で、所定の幅の長尺状になる布地１は、エプロン２と後身ごろ３とを一連的に一体に備えて裁断し、エプロン２と後身ごろ３との境となる位置に、人体の頭を挿通させる首通し４を穿設して形成し、前記生地１の肩部分の内側に前身ごろ５の上端を縫着して、該前身ごろ５がエプロン２の裏側に互いに自由状態で重なるように設け、該前身ごろ５は前記生地１に穿った首通し４と重合貫通する首通し６を穿設する。前記エプロン２の下縁にひも通し７を設けて、該ひも通し７に首掛けひも８を遊挿し、前身ごろ５と後身ごろ３とは両脇を止着自在にするベルベットファスナーのような簡易止着具９により止着自在にして構成する。
【００１０】
前記エプロン２を独立の布地から、後身ごろ３或は前身ごろ５に縫着により連結すると、エプロン２に赤ちゃんを納めた際に赤ちゃんの重量でエプロン２の縫い目が破損したりして思わぬ事故を生じる恐れがあるので、前記エプロン２と後身ごろ３とは一枚の布地１から一連一体に有して形成するのが好ましい。
【００１１】
前記首掛けひも８は、一本のひもの両端を結んで輪状にすると、結び目が解けて思わぬ事故を起こす恐れがあるので、予め無端状のひも輪に形成するのが好ましい。また、前記首掛けひも８はひも通し７に移動自在となるように遊挿され、エプロン２に赤ちゃんを納めた際に、ひも通し７がギャザ−状に萎められてエプロン２が赤ちゃんを袋状に包み込むようにするのが好ましい。更に、前記エプロン３と前身ごろ５との両側にベルベットファスナ−のような簡易止着具１０を設けて、前記首かけひも８をエプロン３と前身ごろ５の間に格納維持できるようにし、首かけひも８がエプロン３の下方に垂れ下がらないようにする。
【００１２】
前記布地１及び前身ごろ５の生地としては特に限定しないが、湯上がり用として、赤ちゃんを包むためにも、母親の身体の汗を吸収する上から、タオル地を用いるのが最も好ましい。
【００１３】
前記首掛けひも８はなるべく太目のものが良く、首に負担のかからないような帯ひものようなものが好ましい。
【００１４】
図４及び図５は使用状態を示す斜視図で、本発明の湯上がり着は、かぶり方式に形成されているので、浴槽から上がるとき、母親は一方の片手に赤ちゃんを抱え、他方の片手を借りて首通しを介して湯上がり着をかぶることで容易に体身に纏うことができると同時に、赤ちゃんを持ち替えてエプロン２に包み、首掛けひも８を首に吊すと、図４及び図５に示すように、赤ちゃんはエプロン２の中に極く安定した状態に納められ、母親の両手は自由状態とすることができる。また、エプロン２は後身ごろ３と一枚の布地１によって一連一体に形成されているので、肩部が、例えば糸のほつれで、エプロンが後身ごろ３から突然切断したり、離反したりすることがないので、母親は安心して両手を自由状態にすることが可能となり、母親の両手が自由状態になることで、母親自身も歩行のバランスを良好に保持して安全に赤ちゃんをしかるべき部屋へ運ぶことができる。
【００１５】
【発明の効果】
本発明は上記のような構成であるから、赤ちゃんがベビ−バスの時期を過ぎて一般の浴槽での入浴に際し、夫や祖母等の他人の人手がないときでも、母親一人で、赤ちゃんを入浴し、湯上がり時においても、母親が裸の儘の状態で赤ちゃんを世話する必要がなく、しかも赤ちゃんを安全に運ぶことができるばかりでなく周囲をびしょびしょに濡らすことなく水濡れを極力少なくすることができる。しかも母親も湯冷め等の心配もなく、身だしなみも良い等の効果を奏する。
【図面の簡単な説明】
【図１】本発明の湯上がり着の斜視図である。
【図２】本発明の後身ごろとエプロンを一体に備える生地の平面図である。
【図３】本発明の前身ごろの平面図である。
【図４】本発明の湯上がり着の使用状他を前面から示す斜視図である。
【図５】本発明の湯上がり着の使用状他を側面から示す斜視図である。
【符号の説明】
１      生地
２      エプロン
３      後身ごろ
４      首通し
５      前身ごろ
６      首通し
７      ひも通し
８      首掛けひも
９      止着具
１０    止着具
【図１】
0004074947.tif 000002
【図２】
0004074947.tif 000003
【図３】
0004074947.tif 000004
【図４】
0004074947.tif 000005
【図５】
0004074947.tif 000006